(57)【要約】【課題】リモコン送信機の電池が切れても、暗証番号を入力することなく簡単にユーザー認証を行い、操作盤を操作できるようにする。【解決手段】制御装置６０は、ユーザー認証や機械操作を行う操作盤２２と、電池７０から電力を供給されてユーザー認証や操作盤２２の遠隔操作等を行うリモコン送信機５０とを具備し、リモコン送信機５０には、リモコン信号を送信するリモコン信号送信部（ＲＦ送信アンテナ７２）と、ユーザーの認証情報を記憶し、電池７０の電力を使用することなく、操作盤２２から発信される電磁波ＥＭＷを受信することにより自ら励磁電力を発生させて起動し、前記認証情報を無電源認証信号ＳＥに変換して操作盤２２に送信する無電源認証信号送信部（トランスポンダ７４）とが設けられ、操作盤２２は、前記リモコン信号（ＩＤ信号ＳＡ）、または無電源認証信号ＳＥの少なくとも一方を受信することによってユーザー認証を行うことを特徴とする。【選択図】図８
2015031059.tif 000002
【特許請求の範囲】
【請求項１】
入出庫扉の外部に設置され、
ユーザー認証と入出庫予約と前記入出庫扉の開閉操作等を含む機械操作とを行う操作盤と、
内蔵された電池から電力を供給され、前記ユーザー認証や前記操作盤の遠隔操作等を行う各種のリモコン信号を送信することができるリモコン送信機と、
を具備した機械式駐車場設備の制御装置であって、
前記リモコン送信機には、
前記リモコン信号を送信するリモコン信号送信部と、
ユーザーの認証情報を記憶し、前記電池の電力を使用することなく、前記操作盤から発信される電磁波を受信することにより自ら励磁電力を発生させて起動し、前記認証情報を無電源認証信号に変換して前記操作盤に送信する無電源認証信号送信部と、
が設けられる一方、
前記操作盤には、
前記リモコン信号送信部から送信される前記リモコン信号を受信するリモコン信号受信部と、
前記電磁波を発信するとともに、前記リモコン送信機が所定の距離以内に接近した時に、前記無電源認証信号送信部から送信される前記無電源認証信号を受信する無電源認証信号受信部と、
が設けられ、
前記操作盤は、前記リモコン信号受信部による前記リモコン信号の受信、または前記無電源認証信号受信部による前記無電源認証信号の受信の少なくとも一方が行われることによって前記ユーザー認証を行うことを特徴とする機械式駐車場設備の制御装置。
【請求項２】
前記リモコン送信機は、前記電池の残量が所定値を下回った時に、前記リモコン信号の送信時に電池残量警告信号を同時に送信し、
前記操作盤は、前記電池残量警告信号を受信した時に、前記電池の残量が少ないことを前記ユーザーに警告することを特徴とする請求項１に記載の機械式駐車場設備の制御装置。
【請求項３】
前記リモコン送信機は、前記電池の残量が所定値を下回った時に、前記リモコン信号の送信時に電池残量警告信号を同時に送信し、
前記操作盤は、前記電池残量警告信号を受信した時に、当該ユーザーのデータベースに電池残量少のデータを記憶し、それ以降に行われる当該ユーザーの認証操作を、前記無電源認証信号送信部を使用して行うように当該ユーザーにガイダンスすることを特徴とする請求項１に記載の機械式駐車場設備の制御装置。
【請求項４】
前記操作盤には、開閉可能、且つ施錠可能な蓋が設けられ、
前記リモコン送信機には、前記蓋の施錠を解錠可能な機械式キーが付属していることを特徴とする請求項１から３のいずれかに記載の機械式駐車場設備の制御装置。
【請求項５】
請求項１から４のいずれかに記載の機械式駐車場設備の制御装置を備えたことを特徴とする機械式駐車場設備。
【発明の詳細な説明】
【技術分野】
【０００１】
本発明は、機械式駐車場設備に係り、特に車両の入庫時および出庫時に、該車両のユーザー（ドライバー）自身がリモコン送信機を使って操作盤を遠隔操作するように構成された機械式駐車場設備の制御装置およびこれを備えた機械式駐車場設備に関するものである。
【背景技術】
【０００２】
オフィスビルやマンション等に併設されている機械式駐車場設備（立体駐車場等）では、契約したユーザーだけが使用するため、予め各ユーザーに暗証番号を付与したり、リモコン送信機を貸与しておき、各ユーザーが車両を入出庫させる際には、入出庫扉の外部に設置された操作盤や、マンションのロビー等に設けられた出庫予約盤等に暗証番号を入力するか、あるいはリモコン送信機から発信される認証情報を受信させることによってユーザー認証を行い、車体を搬送するパレット、リフト等の呼び出しと、入出庫扉の開閉操作とを行わせている。
【０００３】
例えば、特許文献１に開示されている機械式駐車設備では、リモコン送信機で入出庫扉を閉められるようにするために、場内を見渡せる場所に操作盤（リモコン受信機）が設置され、リモコン操作で入出庫扉を閉めるようになっている。このようなリモコン送信機は、一般にボタン型の電池を動作電源としている。
【０００４】
一方、例えば特許文献２に記載されている機械式駐車設備のように、操作盤を部外者の悪戯や風雨等から保護するために、操作盤に開閉可能且つ施錠可能な蓋を設けたものがある。この場合、各ユーザーには蓋を解錠するための鍵が貸与されており、例えばリモコン送信機の電池が切れた時や、リモコン送信機を携帯していない時には、鍵で施錠を解錠して蓋を開き、操作盤に暗証番号を入力してユーザー認証および機械操作を行うようになっている。
【先行技術文献】
【特許文献】
【０００５】
【特許文献１】特開２００９−９１７９９号公報
【特許文献２】特許第４３５６２３０号公報
【発明の概要】
【発明が解決しようとする課題】
【０００６】
しかしながら、前記のような従来の機械式駐車場設備では、リモコン送信機で認証および機械操作を行っている最中に電池が切れると、以後の操作ができなくなるという問題があった。そうなると、例えば１回目のユーザー認証はできても、入出庫の後で２回目のユーザー認証を行うことができなくなる。そのような場合は暗証番号を手動入力してユーザー認証を行えば引き続き操作を行うことができるが、暗証番号の手動入力は煩わしい。また、暗証番号を忘れてしまうと操作ができず、入出庫扉を閉められなくなるといった不具合が発生する。
【０００７】
本発明は、上記の課題を解決するためになされたものであって、リモコン送信機の電池が切れた時でも、暗証番号を入力することなく簡単にユーザー認証を行い、操作盤を操作することができる機械式駐車場設備の制御装置およびこれを備えた機械式駐車場設備を提供することを目的とする。
【課題を解決するための手段】
【０００８】
上記目的を達成するために、本発明は、以下の手段を提供する。
即ち、本発明に係る機械式駐車場設備の制御装置は、入出庫扉の外部に設置され、ユーザー認証と入出庫予約と前記入出庫扉の開閉操作等を含む機械操作とを行う操作盤と、内蔵された電池から電力を供給され、前記ユーザー認証や前記操作盤の遠隔操作等を行う各種のリモコン信号を送信することができるリモコン送信機と、を具備した機械式駐車場設備の制御装置であって、前記リモコン送信機には、前記リモコン信号を送信するリモコン信号送信部と、ユーザーの認証情報を記憶し、前記電池の電力を使用することなく、前記操作盤から発信される電磁波を受信することにより自ら励磁電力を発生させて起動し、前記認証情報を無電源認証信号に変換して前記操作盤に送信する無電源認証信号送信部と、が設けられる一方、前記操作盤には、前記リモコン信号送信部から送信される前記リモコン信号を受信するリモコン信号受信部と、前記電磁波を発信するとともに、前記リモコン送信機が所定の距離以内に接近した時に、前記無電源認証信号送信部から送信される前記無電源認証信号を受信する無電源認証信号受信部と、が設けられ、前記操作盤は、前記リモコン信号受信部による前記リモコン信号（ＩＤ信号）の受信、または前記無電源認証信号受信部による前記無電源認証信号の受信の少なくとも一方が行われることによって前記ユーザー認証を行うことを特徴とする。
【０００９】
上記構成の制御装置によれば、リモコン送信機の電池残量が充分にある時は、ユーザーは操作盤から離れた位置からリモコン送信機を使って遠隔操作し、ユーザー認証および機械操作を行うことができる。即ち、リモコン送信機のリモコン信号送信部からリモコン信号が送信され、このリモコン信号を操作盤のリモコン信号受信部が受信してユーザー認証および機械操作が行われる。
【００１０】
また、リモコン送信機の電池が切れた時は、リモコン信号送信部が機能しなくなり、操作盤から離れた位置からの遠隔操作ができなくなる。この場合でも、リモコン送信機を操作盤に近付ければ、リモコン送信機の無電源認証信号送信部が操作盤の無電源認証信号受信部に対して所定の距離以内に接近し、無電源認証信号送信部が無電源認証信号受信部から発信される電磁波を受信して自ら励磁電力を発生させて起動し、ユーザーの認証情報を無電源認証信号に変換して無電源認証信号受信部に送信する。操作盤は、この無電源認証信号を受信してユーザー認証を行う。
【００１１】
このため、リモコン送信機の電池が切れた時でも、暗証番号を入力することなく簡単にユーザー認証を行い、操作盤を手動で操作することができる。しかも、操作盤を遠隔操作している最中にリモコン送信機の電池が切れたとしても、リモコン送信機を操作盤に近付けることによってユーザー認証を行い、引き続き操作盤の操作を続行することができるため、入出庫扉を閉められなくなるといった不具合を解消することができる。
【００１２】
また、上記構成の制御装置において、前記リモコン送信機は、前記電池の残量が所定値を下回った時に、前記リモコン信号の送信時に電池残量警告信号を同時に送信し、前記操作盤は、前記電池残量警告信号を受信した時に、前記電池の残量が少ないことを前記ユーザーに警告するようにしてもよい。
【００１３】
上記構成の制御装置によれば、リモコン送信機の電池残量が所定値を下回ると、リモコン送信機からリモコン信号の送信と同時に電池残量警告信号が送信され、操作盤は、この電池残量警告信号を受信してユーザーに電池の残量が少ないことを警告する。このため、ユーザーは、電池の残量が少ないことを早目に認識することができ、電池交換を行ってリモコン送信機の動作不良を未然に防止することができる。
【００１４】
さらに、上記構成の制御装置において、前記リモコン送信機は、前記電池の残量が所定値を下回った時に、前記リモコン信号の送信時に電池残量警告信号を同時に送信し、前記操作盤は、前記電池残量警告信号を受信した時に、当該ユーザーのデータベースに電池残量少のデータを記憶し、それ以降に行われる当該ユーザーの認証操作を、前記無電源認証信号送信部を使用して行うように当該ユーザーにガイダンスするようにしてもよい。
【００１５】
上記構成の制御装置によれば、リモコン送信機の電池残量が所定値を下回ると、操作盤は、このユーザーのデータベースに電池残量少のデータを記憶する。そして、それ以降に行われる当該ユーザーの認証操作を、リモコン送信機の無電源認証信号送信部を使用して行うようにガイダンスする。このため、ユーザーは、リモコン送信機を何度も無駄に操作することなく、速やかにリモコン送信機を操作盤に近付けて無電源認証信号送信部を使用してユーザー認証を行い、操作盤を手動操作して機械操作を行うことができる。
【００１６】
また、上記構成の制御装置において、前記操作盤に、開閉可能、且つ施錠可能な蓋を設け、前記リモコン送信機には、前記蓋の施錠を解錠可能な機械式キーを付属させてもよい。
【００１７】
上記構成の制御装置によれば、操作盤に施錠可能な蓋を設けることにより、操作盤を部外者の悪戯や風雨等から保護して保安性を高めることができる。リモコン送信機により操作盤を遠隔操作する場合は蓋を開ける必要はない。しかし、リモコン送信機の電池が切れた時には、蓋の施錠を解錠して操作盤を手動操作する必要がある。この場合には、リモコン送信機に付属する機械式キーで蓋の施錠を解錠し、蓋を開けて操作盤を手動操作する。
【００１８】
このように、リモコン送信機に機械式キーを付属させることにより、操作盤の保安性を確保しながら、リモコン送信機が電池切れした時でもユーザーが操作盤を手動操作できるようにし、機械式駐車場設備の利便性を高めることができる。
【００１９】
また、本発明に係る機械式駐車場設備は、上記の制御装置を備えたことを特徴とするため、リモコン送信機の電池が切れた時でも、暗証番号を入力することなく簡単にユーザー認証を行い、操作盤を操作することができる。
【発明の効果】
【００２０】
以上のように、本発明に係る機械式駐車場設備の制御装置およびこれを備えた機械式駐車場設備によれば、リモコン送信機の電池が切れた時でも、暗証番号を入力することなく簡単にユーザー認証を行い、操作盤を操作することができる。また、ユーザーはリモコン送信機の電池が切れたことを認識することができ、早目に電池を交換してリモコン送信機の動作不良を未然に防止することができる。
【図面の簡単な説明】
【００２１】
【図１】本発明を適用可能な機械式駐車場設備の一例を示す立体駐車場の縦断面図である。
【図２】乗入階、入出庫口、操作盤、主制御部等を示す斜視透視図である。
【図３】操作盤および蓋の正面図である。
【図４】蓋を開いた操作盤の斜視図である。
【図５】入出庫口、操作盤、主制御部、リモコン信号受信部（アンテナ）等を示す縦断面図である。
【図６】リモコン送信機の斜視図である。
【図７】リモコン送信機から機械式キーが取り出された状態を示す斜視図である。
【図８】立体駐車場の制御装置の全体概略構成を示すブロック図である。
【図９】リモコン送信機の電池残量が少なくなった時にディスプレイ画面に表示される警告表示およびガイダンス表示を示す図である。
【図１０】リモコン送信機を使って操作盤を遠隔操作し、入庫予約および入庫操作を行う場合の流れを示すタイムチャートである。
【図１１】リモコン送信機の電池が切れた時における入庫予約および入庫操作の流れを示すタイムチャートである。
【図１２】リモコン送信機を使って操作盤を遠隔操作し、出庫予約および出庫操作を行う場合の出庫時の流れを示すタイムチャートである。
【図１３】リモコン送信機の電池が切れた時における出庫予約および出庫操作の流れを示すタイムチャートである。
【発明を実施するための形態】
【００２２】
以下に、本発明の実施形態について、図面を参照しながら説明する。
図１は、本発明に係る制御装置を適用可能な立体駐車場（機械式駐車場設備）の一例を示すエレベータ式の立体駐車場の縦断面図である。なお、本発明に係る制御装置および制御方法は、以下に述べるエレベータ式の立体駐車場に限らず、複数の駐車スペースに搬送機で駐車車両を入出庫させる機械式駐車場設備であれば、他の様々な形式のものにも幅広く適用することができる。
【００２３】
図１に示すように、立体駐車場１は、複数の車両２を収容可能なタワー型の駐車塔３を備えている。駐車塔３の一階部分には車両２を入出庫させる入出庫口４が開設されており、その外側上部に雨よけの庇５が設けられている。入出庫口４には上下スライド式の入出庫扉４ａが設けられている。
【００２４】
駐車塔３の地上階は図２にも示す乗入階７となっており、その床面には車両２の方向を転換させるターンテーブル８が設置されている。ターンテーブル８は、乗入階７の床面に形成された凹状のピット９内に旋回板１０と旋回駆動部１１が設けられた構成である。
【００２５】
駐車塔３の中心部には垂直な昇降通路１３が形成されており、この中にリフト１４（エレベータ状の搬送機）が上下に昇降可能に設けられている。リフト１４は、例えば駐車塔３の上部に設けられた図示しないウインチから下方に延びる４組のワイヤロープ１５に四隅を吊持され、上記ウインチが起動することにより昇降通路１３内を上下に昇降することができる。
【００２６】
一方、昇降通路１３の両側には車両格納棚１７が設けられている。この車両格納棚１７は、昇降通路１３を挟むようにして上下に多階層状に設けられており、それぞれの車両格納棚１７には車両を積載するためのパレット１８が１枚ずつ収容されている。なお、車両格納棚１７の支柱等は図示が省略されている。
【００２７】
リフト１４と車両格納棚１７の床面には、両者１４，１７の床面の高さが一致した時に、空荷のパレット１８、または車両２が積載されたパレット１８を、リフト１４から車両格納棚１７に、または車両格納棚１７からリフト１４に、スムーズに受け渡すことができる図示しない受渡機構が設けられている。
【００２８】
車両２の入庫時は、まず空のパレット１８が収容されている車両格納棚１７から、リフト１４によって空のパレット１８が乗入階７に降ろされ、このパレット１８に車両２が乗り上げて、そのままパレット１８ごとターンテーブル８によって９０°方向転回された後、リフト１４で昇降通路１３を上昇し、車両格納棚１７に収容される。
【００２９】
また、出庫時は、出庫する車両２が収容されている車両格納棚１７の高さまでリフト１４が上昇し、パレット１８ごと出庫車両がリフト１４に引き取られ、そのままパレット１８はリフト１４によって乗入階７に降ろされ、出庫車両が入出庫口４から出庫する。
【００３０】
図２は、乗入階７を示す斜視透視図である。外側から見て、入出庫口４に向かって左側に非常用出入口２０があり、入出庫口４の上部に青と赤のランプを備えた入庫管制灯２１が設けられている。また、図１、図２、および図５に示すように、入出庫口４に向かって右側、且つ庇５の下に操作盤２２（入出庫予約盤）が設けられている。
【００３１】
操作盤２２は、ユーザーが各自で、ユーザー認証と、入出庫予約と、入出庫扉４ａの開閉操作等を含む機械操作とを行う入力部であり、庇５の下に設置されることによって風雨から保護されている。さらに、操作盤２２の上方の壁面等に、緑、黄、赤の３色を有する三色灯２３が設置されている。
【００３２】
乗入階７の内部には、中央部にパレット１８が配置されるスペースがあり、入出庫口４の正面の壁には車両の位置をドライバーが確認するための鏡２４と、「前進」、「停車」、「後退」の指示を行う電光式の停車位置指示灯２５が設けられている。また、乗入階７の両側面の壁には、車両の大きさや前後位置を検知するための人感・車両センサ２６，２７や、非常停止ボタン２８等が設けられている。停車位置指示灯２５は、人感・車両センサ２６，２７により検知される車両位置のデータに基づいて、車両２のドライバーに車両位置の指示を行う。
【００３３】
さらに、図１、図２および図５に示すように、乗入階７の内部等に、この立体駐車場１の全体の制御を行う主制御部（ＣＰＵ）３０が設置されている。主制御部３０は、後述する制御装置６０の主要部であり、入出庫口４、ターンテーブル８、リフト１４等による一連の入出庫動作（機械操作）を実行する装置である。主制御部３０には操作盤２２が接続されており、操作盤２２と情報を交換しながら入出庫操作を実行する。
【００３４】
図３に示すように、操作盤２２は、手前側に開口する筐体３３と、この筐体３３の開口部を覆う開閉可能な蓋３４とを備えており、筐体３３の内部には、図４に示すように、例えばタッチパネル式の液晶画面である操作画面３５（表示部３５ａと入力部３５ｂとを備える）と、認証用のトランスポンダリーダー３６（無電源認証信号受信部：ユーザーにはＩＤタッチパネルと説明されている）と、非常停止ボタン３７等とが配置されている。操作画面３５を使用しない時には、蓋３４を閉じることで操作画面３５を外部から覆い、部外者の悪戯や風雨等から保護することができる。
【００３５】
また、蓋３４には、引き開けるための取手を兼ねるとともに、蓋３４を施錠するための施錠部３８が設けられている。施錠部３８は、蓋３４が閉められると同時に施錠されるオートロック形式であるが、主制御部３０からの解錠信号を受けると、図示しないソレノイド等の駆動機構によって解錠されるように構成されている。さらに、施錠部３８は、蓋３４の開閉状態を主制御部３０に出力することができる。
【００３６】
施錠部３８は、そのキーシリンダ３８ａに、後述するリモコン送信機５０に内蔵された専用の機械式キー５６を差し込んで捻ることにより、手動で解錠および施錠することができるが、リモコン送信機５０を用いれば、主制御部３０から解錠司令を出力させて自動解錠させることができる。さらに、蓋３４には、施錠部３８の解錠時に緑色に点灯し、施錠時に赤色に点灯する施錠灯３９と、非常停止ボタン４０と、ディスプレイ画面４１と、リモコン操作専用の３色（緑、黄、赤）を有する三色灯４２と、リモコン信号検知部４３（赤外線リモコン信号の受信部）と、確認ボタン４４と、扉開ボタン４５等が設置されている。また、例えば筐体３３の下面にＬＦ送信アンテナ４６が設けられている。
【００３７】
また、図２および図５に示すように、操作盤２２にはＲＦ受信アンテナ４８（リモコン信号受信部）が設けられている。このＲＦ受信アンテナ４８は、例えば庇５の下部に設置されており、ユーザーが所持しているリモコン送信機５０から発信される各種のリモコン信号ＳＡ，ＳＢ，ＳＣを受信し、操作盤２２に設けられた後述の操作盤制御部に伝送するアンテナである。一方、ＬＦ送信アンテナ４６はリモコン送信機５０に対してＬＦ信号ＳＤを送信する。
【００３８】
一方、図５に示すように、この立体駐車場１を利用するユーザーには、当該ユーザー自身の固有の認証情報（ＩＤ）を記憶されたリモコン送信機５０が貸与され、ユーザーが機械式駐車場１を利用する時に携帯することが求められる。このリモコン送信機５０は、例えばタグやキーホルダー状に形成され、車両のキーと一緒に持ち歩いたり、鞄やバック等に入れたりして持ち運ぶものである。リモコン送信機５０は、電池（ボタン型電池等）を内蔵されており（図８参照）、この電池から電力を供給されて、後述するようにユーザー認証や操作盤２２の遠隔操作等を行う各種のリモコン信号ＳＡ，ＳＢ，ＳＣを送信することができる。
【００３９】
図６および図７に示すように、リモコン送信機５０には、その本体ケース５１の片面に、認証ボタン５２と、起動ボタン５３（呼出ボタン）と、扉開ボタン５４と、送信ランプ５５とが設けられるとともに、操作盤２２の蓋３４の施錠を解錠可能な機械式キー５６が付属している。機械式キー５６は、例えば本体ケース５１の内部に抜き差し可能に内蔵され、図示しないロックボタンを押すことによって本体ケース５１から抜き取ることができる。この機械式キー５６を操作盤２２のキーシリンダ３８ａに差し込んで捻ることにより、施錠部３８の施錠を手動で解錠し、操作盤２２の蓋３４を開けることができる。
【００４０】
操作盤２２のＲＦ受信アンテナ４８がリモコン送信機５０から送信されるリモコン信号ＳＡ，ＳＢ，ＳＣを受信できる距離（検知範囲）は、例えば３ｍ程度に設定されている。これにより、遠くに居る他のユーザーのリモコン信号ＳＡ，ＳＢ，ＳＣを無用に受信してしまうことが防止されるとともに、入出庫するユーザーが車両に乗車したままでもリモコン信号ＳＡ，ＳＢ，ＳＣを送信できるようになっている。なお、ＲＦ受信アンテナ４８を庇５の下部に設けることによって風雨や落雷等から保護することができる。
【００４１】
図８は、この立体駐車場１の制御装置の全体概略構成を示すブロック図である。
この制御装置６０は、乗入階７の内部に設置された主要部である主制御部３０と、操作盤２２と、ユーザーが携帯するリモコン送信機５０とを備えて構成されている。
【００４２】
まず、主制御部３０には、データベース６１、機械制御部６２、施錠制御部６３等が含まれている。データベース６１には、立体駐車場１内の在車状況、各契約車両に対応するパレット形状、ＥＶ（電動車両）の充電の必要の有無、ユーザー登録情報等の各データが記憶されている。機械制御部６２は、旋回駆動部１１、リフト１４、入出庫扉４ａ等の制御を行う。施錠制御部６３は、操作盤２２の蓋３４の施錠状態、開閉状態を把握するとともに、蓋３４の施錠部３８を解錠させる解錠信号を発信する。
【００４３】
一方、操作盤２２には、操作盤制御部６５が内蔵され（図５も参照）、この操作盤制御部６５に、操作画面３５を構成する表示部３５ａおよび入力部３５ｂと、前述の非常停止ボタン３７，４０、施錠部３８、キーシリンダ３８ａ、ＲＦ受信アンテナ４８（リモコン信号受信部）、ＬＦ送信アンテナ４６、トランスポンダリーダー３６（無電源認証信号受信部）等が接続されている。操作盤２２のトランスポンダリーダー３６は電磁波ＥＭＷを発信している。
【００４４】
他方、リモコン送信機５０には、リモコン制御部６８が内蔵され、このリモコン制御部６８に、前述の認証ボタン５２、起動ボタン５３、扉開ボタン５４、送信ランプ５５等が接続されている。また、リモコン送信機５０には電源となる電池７０が交換可能に内蔵され、リモコン制御部６８に電力を供給している。さらに、リモコン制御部６８には、電池残量センサ７１、ＲＦ送信アンテナ７２、ＬＦ受信アンテナ７３、トランスポンダ７４（無電源認証信号送信部）等が接続されている。
【００４５】
リモコン送信機５０のＲＦ送信アンテナ７２は、操作盤２２のＲＦ受信アンテナ４８に各種のリモコン信号ＳＡ，ＳＢ，ＳＣを送信するアンテナである。ここで、ＳＡはＩＤ信号、ＳＢは機械操作信号、ＳＣは電池残量警告信号である。
【００４６】
また、ＬＦ受信アンテナ７３は、操作盤２２のＬＦ送信アンテナ４６から送信されるＬＦ信号ＳＤを受信するアンテナである。このＬＦ信号ＳＤは、リモコン送信機５０に対して認証（ＩＤ）を問い合わせる司令信号である。
【００４７】
リモコン送信機５０のトランスポンダ７４は、ユーザーの認証情報を記憶しており、電池７０の電力を使用することなく、操作盤２２のトランスポンダリーダー３６から発信される電磁波ＥＭＷを受信することにより自ら励磁電力を発生させて起動し、ユーザーの認証情報を無電源認証信号ＳＥに変換して操作盤２２に送信するように構成されている。
【００４８】
また、電池残量センサ７１は、電池７０の残量を監視する、所謂ＡＤ変換機であり、電池７０の電圧のアナログ値を検出してデジタル値に変換し、その結果をリモコン制御部６８に随時入力するようになっている。
【００４９】
操作盤２２のトランスポンダリーダー３６は、電磁波ＥＭＷを発信しながら、リモコン送信機５０が所定の距離以内に接近した時に、リモコン送信機５０のトランスポンダ７４から送信される無電源認証信号ＳＥを受信するようになっている。
【００５０】
そして、操作盤２２は、ＲＦ受信アンテナ４８によるリモコン信号（ＩＤ信号ＳＡ）の受信、またはトランスポンダリーダー３６による無電源認証信号ＳＥの受信の少なくとも一方が行われることによってユーザー認証を行うことができる。
【００５１】
以上のように構成された制御装置６０によれば、リモコン送信機５０の電池残量が充分にある時は、ユーザーは操作盤２２から離れた位置からリモコン送信機５０を使って遠隔操作し、ユーザー認証および機械操作を行うことができる。
【００５２】
この時には、リモコン送信機５０のＲＦ送信アンテナ７２からＩＤ信号ＳＡが送信され、このＩＤ信号ＳＡを操作盤２２のＲＦ受信アンテナ４８が受信することによってユーザー認証が行われる。このＩＤ認証が成功した後に、リモコン送信機５０のＲＦ送信アンテナ７２から機械操作信号ＳＢを送信することにより、パレットの呼び出しや入出庫扉４ａの閉扉といった機械操作を行うことができる。
【００５３】
また、リモコン送信機５０の電池７０が切れた時は、ＲＦ送信アンテナ７２が機能しなくなり、操作盤２２から離れた位置からの遠隔操作ができなくなる。この場合でも、リモコン送信機５０から機械式キー５６を取り出し、この機械式キー５６を操作盤２２の蓋３４のキーシリンダ３８ａに挿し込んで捻ることにより、施錠部３８の施錠を解錠し、蓋３４を開けてユーザー認証および操作盤２２の操作を行うことができる。
【００５４】
この時には、リモコン送信機５０を操作盤２２のトランスポンダリーダー３６にタッチすることにより、リモコン送信機５０のトランスポンダ７４がトランスポンダリーダー３６に対して所定の距離以内に接近することになるため、トランスポンダ７４がトランスポンダリーダー３６から発信される電磁波ＥＭＷを受信して自ら励磁電力を発生させて起動し、ユーザーの認証情報を無電源認証信号ＳＥに変換してトランスポンダリーダー３６に送信する。操作盤２２は、この無電源認証信号ＳＥを受信してユーザー認証を行う。また、操作盤２２の操作画面がタッチパネルとして起動し、ユーザーが手動で入出庫操作や入出庫扉４ａの閉扉等の操作を行うことができる。
【００５５】
このように、リモコン送信機５０の電池７０が切れた時でも、暗証番号を入力することなく簡単にユーザー認証を行い、操作盤２２を手動で操作することができる。しかも、操作盤２２を遠隔操作している最中にリモコン送信機５０の電池が切れたとしても、上記のようにモコン送信機５０を操作盤２２のトランスポンダリーダー３６に近付ける（タッチする）ことによってユーザー認証を行い、引き続き操作盤２２の操作を続行することができる。このため、入出庫扉４ａを閉められなくなるといった不具合を解消することができる。
【００５６】
ところで、図５、図８に示すように、リモコン送信機５０は、電池７０の残量が所定値（例えば本来通常３Ｖの電圧がある電池なら２．５Ｖ程度）を下回った時に、リモコン信号の送信時に電池残量警告信号ＳＣを同時に送信する。
一方、操作盤２２（操作盤制御部６５）は、この電池残量警告信号ＳＣを受信した時に、電池７０の残量が少ないことをユーザーに警告する。具体的には、図９に示すように、操作盤２２の蓋３４のディスプレイ画面４１に「リモコンの電池を交換して下さい」と表示するとともに、音声でも警告する。同時に、例えば図２、図５に示す三色灯２３を点灯表示から点滅表示に切り替えるようにしてもよい。
【００５７】
このように、リモコン送信５０機の電池７０の残量が少なくなったことがユーザーに警告されるため、ユーザーは、電池残量が少ないことを早目に認識することができ、早期に電池交換を行ってリモコン送信機５０の動作不良を未然に防止することができる。
【００５８】
また、操作盤２２（操作盤制御部６５）は、リモコン送信機５０から電池残量警告信号ＳＣを受信した時に、主制御部３０のデータベース６１に、当該ユーザーの個人データとして、電池残量が少ないことをデータとして記憶する。そして、それ以降に行われる当該ユーザーの認証操作を、リモコン送信機５０のトランスポンダ７４を使用して行うように当該ユーザーにガイダンスする。具体的には、図９に示すように、ディスプレイ画面４１に「リモコンをＩＤタッチパネル（トランスポンダリーダー３６）にタッチしてユーザー認証して下さい」と表示するとともに、音声でも案内する。
【００５９】
このように、リモコン送信機５０の電池７０の残量が少なくなった時に、当該ユーザーにリモコン送信機５０のトランスポンダ７４を使用してユーザー認証を行うようにガイダンスが行われるため、ユーザーは、リモコン送信機５０を何度も無駄に操作することなく、速やかにリモコン送信機５０をトランスポンダリーダー３６にタッチしてユーザー認証を行い、操作盤２２を手動操作して機械操作を続行することができる。
【００６０】
その後、当該ユーザーがリモコン送信機５０の電池７０を交換し、再度来場してリモコン送信機５０を操作した時は、電池７０の電圧が復活しているために、電池残量警告信号ＳＣが送信されなくなる。このため、操作盤２２（操作盤制御部６５）は、データベース６１に記憶されていた電池残量少のデータを消去（リセット）する。
【００６１】
ところで、操作盤２２には開閉可能、且つ施錠可能な蓋３４が設けられているため、この蓋３４によって操作盤２２を部外者の悪戯や風雨等から保護して保安性を高めることができる。リモコン送信機により操作盤２２を遠隔操作する場合は蓋３４を開ける必要はないが、リモコン送信機５０の電池が切れた時には、リモコン送信機５０に付属する機械式キー５６を使って蓋３４の施錠を解錠し、蓋３４を開けて操作盤２２を手動操作する必要がある。
【００６２】
このように、リモコン送信機５０に機械式キー５６を付属させることにより、操作盤２２の保安性を確保しながら、リモコン送信機５０が電池切れした時でもユーザーが操作盤２２を手動操作できるようにし、立体駐車場１の利便性を高めることができる。
【００６３】
次に、上記のように構成された立体駐車場１において、電池７０が健全なリモコン送信機５０を使って操作盤２２を遠隔操作し、入庫予約および入庫操作を行う場合の流れについて、図１０に示すタイムチャートを参照しながら説明する。
【００６４】
このタイムチャートは、入出庫口４の前の状況と、操作盤２２の状況と、乗入階７の状況と、立体駐車場１の動作状況とが横並びで、上方から下方に向かって時間と共に推移していく様子が表示されており、各動作（アクション）には符号Ａ１，Ａ２，Ａ３…を付してある。
【００６５】
入庫時には、まず入庫する車両が入出庫口４の前に停車し（Ａ１）、ユーザーは車内からリモコン送信機５０の認証ボタン５２を押す（Ａ２）。これにより、リモコン送信機５０からＩＤ信号ＳＡが送信されて操作盤２２に受信され、１回目のユーザー認証が行われる。このユーザー認証が成功すると、三色灯２３（４２）の点灯色が緑色から黄色に切り替わる。この時、主制御部３０の施錠制御部６３から蓋３４の施錠部３８を解錠させる解錠信号が発信され、蓋３４の施錠が自動的に解錠されて蓋３４の施錠灯３９の表示色が赤色から緑色に切り替わる。
【００６６】
次にユーザーは、リモコン送信機５０の起動ボタン５３（呼出ボタン）を押す（Ａ３）。これにより、立体駐車場１内の空きパレットが呼び出され（Ａ４）、立体駐車場１が起動して空きパレットの搬送が開始される（Ａ５）。この時、三色灯２３（４２）の点灯色が黄色から赤色に切り替わることによってユーザーに機械の起動が通知される。機械が起動すると入庫管制灯２１が無点灯から青色点灯に切り替わる。
【００６７】
空きパレットが乗入階７に到着すると、入出庫扉４ａが自動的に開く（Ａ６）。車両内で待機していたユーザーは車両を運転して入出庫口４の前から乗入階７の中に乗り入れ（Ａ７）、車両をパレット上の定位置に停車させた後に降車して操作盤２２の前へ移動する（Ａ８）。
【００６８】
次にユーザーは、リモコン送信機５０の認証ボタン５２を押し（Ａ９）、これにより２回目のユーザー認証が行われる。なお、ユーザーが乗入階７の中に居る時に他のユーザーが来場して自身のリモコン送信機５０の認証ボタン５２を押したとしても、１回目の認証結果と２回目の認証結果とが異なるために認証は失敗し、他のユーザーは操作盤２２を遠隔操作および手動操作することができない。
【００６９】
そして、認証されているユーザーは、自動解錠されている操作盤２２の蓋３４を開け（Ａ１０）、乗入階７の内部の安全を確認してから操作画面３５に表示されている安全確認ボタンを押す（Ａ１１）。次に、操作画面３５に表示される扉閉ボタンを押し（Ａ１２）、入出庫扉４ａが閉じたのを確認したら、操作盤２２の蓋３４を閉じる（Ａ１３）。蓋３４は施錠部３８により自動施錠される。これで入庫操作が完了する。
【００７０】
上記の一連の操作を行う時に、リモコン送信機５０の電池７０の残量が少なくなっている時には、ディスプレイ画面４１（または操作画面３５）に、図９に示す警告やガイダンス（案内）が表示される。また、この時には、三色灯２３（４２）が点滅するようになっている。
【００７１】
次に、リモコン送信機５０の電池７０が切れた時（弱っている時）における入庫予約および入庫操作の流れについて、図１１に示すタイムチャートを参照しながら説明する。
【００７２】
まず、入庫する車両が入出庫口４の前に停車し（Ａ２１）、ユーザーはリモコン送信機５０の認証ボタン５２を押して認証しようとするが、電池７０の残量が所定値を下回っているため、前述のように操作盤２２の蓋３４のディスプレイ画面４１に図９の警告および案内がなされる。このため、ユーザーは車両から降りて操作盤２２の前に移動し（Ａ２２）、リモコン送信機５０に付属している機械式キー５６で操作盤２２の蓋３４を開ける（Ａ２３）。そして、操作画面３５に表示されている認証ボタンを押す（Ａ２４）。次に、操作画面３５に「リモコンをＩＤタッチパネル（トランスポンダリーダー３６）にタッチしてユーザー認証して下さい」と表示されるため、ユーザーはリモコン送信機５０を操作盤２２のトランスポンダリーダー３６にタッチする（Ａ２５）。これに基づいて１回目のユーザー認証が行われる。
【００７３】
１回目のユーザー認証が成功すると、操作画面３５に起動ボタンが表示されるため、ユーザーはこの起動ボタンを押し（Ａ２６）、これによって空きパレットが呼び出され（Ａ２７）、立体駐車場１が起動して空きパレットの搬送が開始される（Ａ２８）。この時、三色灯２３（４２）の点灯色が黄色から赤色に切り替わることによってユーザーに機械の起動が通知される。機械が起動すると入庫管制灯２１が無点灯から青色点灯に切り替わる。
【００７４】
空きパレットが乗入階７に到着すると、入出庫扉４ａが自動的に開く（Ａ２９）。この間、ユーザーは入出庫口４の前に停車している車両に戻る（Ａ３０）。そして、車両を運転して乗入階７の中に乗り入れ（Ａ３１）、車両をパレット上の定位置に停車させた後に降車して操作盤２２の前へ移動する（Ａ３２）。
【００７５】
次にユーザーは、乗入階７の安全を確認し（Ａ３３）、操作盤２２の表示画面に表示されている認証ボタンを押し（Ａ３４）、次にリモコン送信機５０をトランスポンダリーダー３６にタッチする（Ａ３５）。これに基づいて２回目のユーザー認証が行われる。その後ユーザーは、操作画面３５に表示される扉閉ボタンを押し（Ａ３６）、入出庫扉４ａが閉じたのを確認したら、操作盤２２の蓋３４を閉じる（Ａ３７）。蓋３４は施錠部３８により自動施錠され、入庫操作が完了する。
【００７６】
次に、電池７０が健全なリモコン送信機５０を使って操作盤２２を遠隔操作し、出庫予約および出庫操作を行う場合の流れについて、図１２に示すタイムチャートを参照しながら説明する。
【００７７】
まず、立体駐車場１に来場したユーザーが操作盤２２の前に到着し（Ａ４１）、リモコン送信機５０の認証ボタン５２を押す（Ａ４２）。これにより、１回目のユーザー認証が行われ、このユーザー認証が成功すると、三色灯２３（４２）の点灯色が緑色から黄色に切り替わる。この時、主制御部３０の施錠制御部６３から蓋３４の施錠部３８を解錠させる解錠信号が発信され、蓋３４の施錠が自動的に解錠されて蓋３４の施錠灯３９の表示色が赤色から緑色に切り替わる。
【００７８】
次にユーザーは、リモコン送信機５０の起動ボタン（呼出ボタン）５３を押す（Ａ４３）。これにより、立体駐車場１内の出庫パレットが呼び出され（Ａ４４）、立体駐車場１が起動して出庫パレットの搬送が開始される（Ａ４５）。この時、三色灯２３（４２）の点灯色が黄色から赤色に切り替わることによってユーザーに機械の起動が通知される。機械が起動すると入庫管制灯２１が無点灯から赤色点灯に切り替わる。
【００７９】
出庫パレットが乗入階７に到着すると、入出庫扉４ａが自動的に開く（Ａ４６）。待機していたユーザーは乗入階７内の車両に乗車し（Ａ４７）、車両を運転して乗入階７の外へ移動させる（Ａ４８）。その後、ユーザーは車両から降りて操作盤２２の前へ移動する（Ａ４９）。そして、リモコン送信機５０の認証ボタン５２を押し（Ａ５０）、これにより２回目のユーザー認証が行われる。
【００８０】
次にユーザーは、自動解錠されている操作盤２２の蓋３４を開け（Ａ５１）、乗入階７の内部の安全を確認してから操作画面３５に表示されている安全確認ボタンを押す（Ａ５２）。次に、操作画面３５に表示される扉閉ボタンを押し（Ａ５３）、入出庫扉４ａが閉じたのを確認したら、操作盤２２の蓋３４を閉じる（Ａ５４）。蓋３４は施錠部３８により自動施錠される。これで出庫操作が完了する。
【００８１】
次に、リモコン送信機５０の電池７０が切れた時（弱っている時）における出庫予約および出庫操作の流れについて、図１３に示すタイムチャートを参照しながら説明する。
【００８２】
まず、立体駐車場１に来場したユーザーが操作盤２２の前に到着し（Ａ６１）、リモコン送信機５０の認証ボタン５２を押して認証しようとするが、電池７０の残量が所定値を下回っているため、前述のように操作盤２２の蓋３４のディスプレイ画面４１に図９の警告および案内がなされる。このため、ユーザーはリモコン送信機５０に付属している機械式キー５６で操作盤２２の蓋３４を開ける（Ａ６２）。そして、操作画面３５に表示されている認証ボタンを押す（Ａ６３）。次に、操作画面３５に「リモコンをＩＤタッチパネル（トランスポンダリーダー３６）にタッチしてユーザー認証して下さい」と表示されるため、ユーザーはリモコン送信機５０を操作盤２２のトランスポンダリーダー３６にタッチする（Ａ６４）。これに基づいて１回目のユーザー認証が行われる。
【００８３】
１回目のユーザー認証が成功すると、操作画面３５に起動ボタンが表示されるため、ユーザーはこの起動ボタンを押し（Ａ６５）、これによって出庫パレットが呼び出され（Ａ６６）、立体駐車場１が起動して出庫パレットの搬送が開始される（Ａ６７）。機械が起動すると入庫管制灯２１が無点灯から赤色点灯に切り替わる。出庫パレットが乗入階７に到着すると、入出庫扉４ａが自動的に開く（Ａ６８）。待機していたユーザーは乗入階７内の車両に乗車し（Ａ６９）、車両を運転して乗入階７の外へ移動させる（Ａ７０）。その後、ユーザーは車両から降りて操作盤２２の前へ移動する（Ａ７１）。
【００８４】
次にユーザーは、乗入階７の安全を確認し（Ａ７２）、操作盤２２の表示画面に表示されている認証ボタンを押し（Ａ７３）、次にリモコン送信機５０をトランスポンダリーダー３６にタッチする（Ａ７４）。これに基づいて２回目のユーザー認証が行われる。その後ユーザーは、操作画面３５に表示される扉閉ボタンを押し（Ａ７５）、入出庫扉４ａが閉じたのを確認したら、操作盤２２の蓋３４を閉じる（Ａ７６）。蓋３４は施錠部３８により自動施錠され、出庫操作が完了する。
【００８５】
以上説明したように、この制御装置６０によれば、リモコン送信機５０の電池７０が切れた時でも、暗証番号を入力することなく簡単にユーザー認証を行い、操作盤２２を操作することができる。また、リモコン送信機５０の電池７０が弱ってきたことがユーザーに警告されるため、ユーザーは早目に電池７０を交換してリモコン送信機５０の動作不良を未然に防止することができる。
【００８６】
ところで、本発明に係る機械式駐車場設備の制御装置は、上記実施形態の構成のみに限定されるものではなく、本発明の要旨を逸脱しない範囲内において適宜変更や改良を加えることができ、このように変更や改良を加えた実施形態も本発明の権利範囲に含まれるものとする。
【００８７】
例えば、上記実施形態では、本発明に係る制御装置を、タワー型の駐車塔３を持つエレベータ式の立体駐車場１に適用した例について説明したが、本発明に係る制御装置は、タワー型、エレベータ式に限らず、平面循環式、多層循環式、垂直循環式、コンベア搬送式等、搬送機により車両が搬送され、入出庫扉を備えたあらゆる種類の機械式駐車場設備に適用することができる。
【００８８】
また、上記実施形態における操作盤２２は、必ずしも入出庫口４の近傍に設けられたものでなくてもよく、例えばマンションのエントランスロビーのような遠隔位置に設けられた出庫予約盤や、駐車場設備の入口ゲートに設けられた遠隔入庫予約盤等であってもよい。
【符号の説明】
【００８９】
１  立体駐車場（機械式駐車場設備）
４  入出庫口
４ａ  入出庫扉
７  乗入階
２２  操作盤
３４  蓋
３６  トランスポンダリーダー（無電源認証信号受信部）
４８  ＲＦ受信アンテナ（リモコン信号受信部）
５０  リモコン送信機
５６  機械式キー
６０  制御装置
６１  データベース
７０  電池
７２  ＲＦ送信アンテナ（リモコン信号送信部）
７４  トランスポンダ（無電源認証信号送信部）
ＥＭＷ  電磁波
ＳＡ  ＩＤ信号（リモコン信号）
ＳＢ  機械操作信号（リモコン信号）
ＳＣ  電池残量警告信号（リモコン信号）
ＳＥ  無電源認証信号
【図１】
2015031059.tif 000003
【図２】
2015031059.tif 000004
【図３】
2015031059.tif 000005
【図４】
2015031059.tif 000006
【図５】
2015031059.tif 000007
【図６】
2015031059.tif 000008
【図７】
2015031059.tif 000009
【図８】
2015031059.tif 000010
【図９】
2015031059.tif 000011
【図１０】
2015031059.tif 000012
【図１１】
2015031059.tif 000013
【図１２】
2015031059.tif 000014
【図１３】
2015031059.tif 000015